【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】光情報記録媒体の製造方法
【手続補正２】
【補正対象書類名】明細書
【補正対象項目名】特許請求の範囲
【補正方法】変更
【補正の内容】
【特許請求の範囲】
【請求項１】
一主面に溝または凹凸ピットを有するスタンパ上の前記溝または凹凸ピット上に第１の放射線硬化性樹脂を配置し、配置された前記第１の放射線硬化性樹脂を硬化させる第１の工程と、
前記スタンパと、一主面に第１の情報記録層を有する第１の基板とを、硬化した前記第１の放射線硬化性樹脂と前記第１の情報記録層とを対向させて、第２の放射線硬化性樹脂を用いて貼り合せ、前記第２の放射線硬化性樹脂を硬化させる第２の工程と、
前記スタンパを剥離して、前記第１の基板上に、硬化した第１の放射線硬化性樹脂からなる溝または凹凸ピットを形成する第３の工程と、
前記第１の基板上に形成された前記溝または凹凸ピット上に反射膜または記録膜を成膜して、第２の情報記録層を形成する第４の工程と
を有することを特徴とする光情報記録媒体の製造方法。
【請求項２】
前記第１の放射線硬化性樹脂と前記第２の放射線硬化性樹脂とは異なる樹脂であることを特徴とする請求項１に記載の光情報記録媒体の製造方法。
【請求項３】
前記第２の情報記録層上に光透過層を形成する工程をさらに含む請求項１又は２に記載の光情報記録媒体の製造方法。
【請求項４】
前記光透過層の厚さが、０．３ｍｍ以下であることを特徴とする請求項３に記載の光情報記録媒体の製造方法。
【請求項５】
前記光透過層の厚さが、０．１ｍｍ以下であることを特徴とする請求項３に記載の光情報記録媒体の製造方法。
【請求項６】
前記光透過層が放射線硬化性樹脂からなることを特徴とする請求項３に記載の光情報記録媒体の製造方法。
【請求項７】
前記光透過層が放射線硬化性樹脂と樹脂基板からなることを特徴とする請求項３に記載の光情報記録媒体の製造方法。
【請求項８】
前記スタンパと前記第１の基板とを前記第２の放射線硬化性樹脂を用いて貼り合せる際に、前記第２の放射線硬化性樹脂を介して一体化された前記スタンパと前記第１の基板とを回転させて、前記第２の放射線硬化性樹脂を延伸することを特徴とする請求項１ないし７のいずれか一項に記載の光情報記録媒体の製造方法。
【請求項９】
前記スタンパと前記第１の基板とを、前記第２の放射線硬化性樹脂を用いて貼り合せる際に、前記スタンパまたは前記第１の基板の少なくとも一方の、貼り合わせる面の一部もしくは全部に、前記前記第２の放射線硬化性樹脂を配置し、
その後、前記第１の基板と前記スタンパを、真空中で貼り合せることを特徴とする請求項１ないし８のいずれか一項に記載の光情報記録媒体の製造方法。
【請求項１０】
前記第１の放射線硬化性樹脂の内周端径が、前記第２の放射線硬化性樹脂の内周端径と同じ、もしくは小さいことを特徴とする請求項１ないし９のいずれか一項に記載の光情報記録媒体の製造方法。
【請求項１１】
前記第１の放射線硬化性樹脂が、前記スタンパの外周端まで配置されていることを特徴とする請求項１ないし１０のいずれか一項に記載の光情報記録媒体の製造方法。
【請求項１２】
前記スタンパの前記溝または凹凸ピット上に、離型を良化させるための処理が施されていることを特徴とする請求項１ないし１１のいずれか一項に記載の光情報記録媒体の製造方法。
【請求項１３】
前記スタンパの前記溝または凹凸ピット上に、離型剤を塗布することを特徴とする請求項１ないし１２のいずれか一項に記載の光情報記録媒体の製造方法。
【請求項１４】
前記スタンパの前記溝または凹凸ピット上に、金属を主成分とする膜または誘電体膜を成膜することを特徴とする１ないし１３のいずれか一項に記載の光情報記録媒体の製造方法。
【請求項１５】
前記第２の工程は、前記スタンパを回転させて前記第２の放射線硬化性樹脂を延伸する工程をさらに有し、前記延伸する工程を前記第２の放射線硬化性樹脂を硬化する工程よりも低い圧力下で行うことを特徴とする請求項１ないし１３のいずれか一項に記載の光情報記録媒体の製造方法。
【手続補正３】
【補正対象書類名】明細書
【補正対象項目名】０００８
【補正方法】変更
【補正の内容】
【０００８】
【課題を解決するための手段】
本発明に係る製造方法は、一主面に溝または凹凸ピットを有するスタンパ上の溝または凹凸ピット上に第１の放射線硬化性樹脂ＬＡを配置し、配置された第１の放射線硬化性樹脂ＬＡを硬化させる第１の工程と、スタンパと、一主面に第１の情報記録層を有する第１の基板とを、硬化した第１の放射線硬化性樹脂ＬＡと第１の情報記録層とを対向させて、第２の放射線硬化性樹脂ＬＢを用いて貼り合せ、第２の放射線硬化性樹脂ＬＢを硬化させる第２の工程と、スタンパを剥離して、第１の基板上に、硬化した第１の放射線硬化性樹脂ＬＡからなる溝または凹凸ピットを形成する第３の工程と、第１の基板上に形成された溝または凹凸ピット上に反射膜または記録膜を成膜して、第２の情報記録層を形成する第４の工程とを有する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】変更
【補正の内容】
【００３８】
上記本発明の光情報記録媒体の製造方法によって、多層の情報記録層を有する光情報記録媒体を作製することができる。スタンパとの密着性・転写性・剥離のしやすさと、接着力の強さを、それぞれ第１及び第２の放射線硬化性樹脂ＬＡおよびＬＢに分担させるため、放射線硬化性樹脂の開発が容易である。
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】削除
【補正の内容】
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】削除
【補正の内容】
【手続補正６３】
【補正対象書類名】明細書
【補正対象項目名】００６８
【補正方法】削除
【補正の内容】